(57)【要約】【課題】食塩等の振り出し容器の収容物は、吸湿して固まり又は中蓋に付着して、振り出し難くなる。【解決手段】小孔３ａを有する中蓋３に撹拌部材６を回転自在に支持する。撹拌部材６は、スプライン部１２を外部に突出して有し、キャップ５のスプライン孔部２２に係合する。使用に際してキャップ５を回転する度に、撹拌部材６が収容物Ｓを撹拌する。中蓋３の裏面に摺接しつつ掻き落し部材１５が撹拌部材６と一体に回転し、中蓋に付着した収容物を掻き落す。【選択図】図２
2008189375.tif 000002
【特許請求の範囲】
【請求項１】
粉末又は顆粒状の収容物を収納し得る容器本体の開口部を、回転により取り付け又は取り外し自在なキャップにて蓋すると共に、前記開口部に配置した小孔から前記収容物を振り出し得る振り出し容器において、
前記キャップの回転に伴って回転し、前記容器本体内の収容物を撹拌する撹拌部材を備えた、
ことを特徴とする振り出し容器。
【請求項２】
前記容器本体の開口部に、前記小孔を有する中蓋を着脱自在に取り付け、
該中蓋に回転自在に前記撹拌部材を支持し、
前記撹拌部材の前記中蓋の外部分と、前記キャップとに、該キャップの回転方向には一体に連動し、軸方向に相対移動可能に連結する連結部をそれぞれ設けた、
請求項１記載の振り出し容器。
【請求項３】
前記中蓋の前記容器本体の内部側となる裏面に摺接すると共に前記撹拌部材と一体に回転する掻き落し部材を備えた、
請求項２記載の振り出し容器。
【請求項４】
前記キャップに、前記小孔を形成すると共に、該小孔を閉塞する位置と該小孔を開放する位置とに安定するように付勢して蓋体を設け、
前記キャップに一体に前記撹拌部材を設けた、
請求項１記載の振り出し容器。
【発明の詳細な説明】
【技術分野】
【０００１】
本発明は、塩，胡椒，唐辛子，ゴマ塩等の調味料，その他の粉末又は顆粒状の収容物を振り出して用いる振り出し容器に係り、詳しくは吸湿して固まりやすい食塩等の収容物を撹拌して確実に振り出すことの可能な振り出し容器に関する。
【背景技術】
【０００２】
一般に、食卓塩等の調味料を収容した容器（瓶）は、容器本体の開口部に多数の小孔を有する中蓋が装着され、更にキャップにて蓋している。キャップをねじにより容器本体より取り外した状態で、容器本体を逆にして振り出すことにより、容器本体内の食塩等が中蓋の小孔を通して所定量ずつ排出され、使用に供される。
【０００３】
容器内の調味料、特に食塩は、吸湿して固まりやすく、また中蓋の小孔部分に付着して目詰りしやすく、使用者が振り出そうとしても、外部に排出され難い状態が度々生じる。使用者は、その度に、中蓋を取って容器本体内部の食塩等の塊りを箸等で砕くか又は中蓋に付着した食塩等を拭き取る必要がある。
【０００４】
従来、キャップの内面に、先端が尖った塊化収納物粉砕用の突起を一体に垂設し、容器を倒立させて収容物を振り出す際に、塊りを突起により粉砕して、塊りが引っ掛って収容物の振り出しの阻害を防止する振り出し容器が提案されている（特許文献１参照）。
【０００５】
また、キャップに、収容物の通行（排出）を遮断する遮断壁と、開口に網を張った網目口とを設け、容器から収容物を振り出す際、塊りを網に衝突させて、網による小さな接触面積により上記塊りを破砕して、網目口より細分化して振り出す容器が提案されている（特許文献２参照）。
【０００６】
【特許文献１】特開平８−９１４０５号公報
【特許文献２】特開平１０−１６７３０２号公報
【発明の開示】
【発明が解決しようとする課題】
【０００７】
上述した振り出し容器は、いずれも、容器内に生じた収容物の塊りを、慣性力により突起又は網に衝突して塊りを粉砕するものであって、塊りの結合力と塊りに作用する慣性力との関係によって充分に粉砕できない場合があり、特に食塩のように吸湿して強い結合力により固まる場合、何回振り出し作業を繰返しても、塊りを充分に細分化することができず、中蓋の小孔に目詰りして、使用に供することが困難になることがある。
【０００８】
そこで、本発明は、キャップを回転して容器本体に着脱する作業を利用して、容器本体内の収容物を撹拌し、食塩等の収納物を確実に振り出すことが可能な振り出し容器を提供することを目的とするものである。
【課題を解決するための手段】
【０００９】
本発明は、粉末又は顆粒状の収容物（Ｓ）（Ｋ）を収納し得る容器本体（２）（３１）の開口部（２ａ）（３１ａ）を、回転により取り付け又は取り外し自在なキャップ（５）（３２）にて蓋すると共に、前記開口部に配置した小孔（３ａ）（３２ａ）から前記収容物を振り出し得る振り出し容器（１）（３０）において、
前記キャップ（５）（３２）の回転に伴って回転し、前記容器本体（２）（３１）内の収容物を撹拌する撹拌部材（６）（３９）を備えたことを特徴とする。
【００１０】
一例として、例えば図１，図２を参照して示すと、前記容器本体（２）の開口部（２ａ）に、前記小孔（３ａ）を有する中蓋（３）を着脱自在に取り付け、
該中蓋に回転自在に前記撹拌部材（６）を支持し、
前記撹拌部材の前記中蓋（３）の外部分と、前記キャップ（５）とに、該キャップの回転方向には一体に連動し、軸方向に相対移動可能に連結する連結部（１２，２２）をそれぞれ設けた振り出し容器にある。
【００１１】
好ましくは、前記中蓋（３）の前記容器本体（２）の内部側となる裏面に摺接すると共に前記撹拌部材（６）と一体に回転する掻き落し部材（１５）を備える。
【００１２】
他例として、例えば図３を参照して示すと、前記キャップ（３２）に、前記小孔（３２ａ）を形成すると共に、該小孔を閉塞する位置と該小孔を開放する位置とに安定するように付勢して蓋体（３３）を設け、
前記キャップ（３２）に一体に前記撹拌部材（３９）を設けた振り出し容器にある。
【００１３】
なお、上記カッコ内の符号は、図面と対照するためのものであるが、これにより特許請求の範囲の記載に何等影響を及ぼすものではない。
【発明の効果】
【００１４】
請求項１に係る本発明によると、容器本体の収容物が吸湿して固まっても、キャップを容器本体に取り付け又は取り外すために回転すると、それに伴って撹拌部材が回転して収容物を撹拌し、塊りを崩すことができ、これにより小孔から収容物を確実に振り出すことができる。
【００１５】
また、ミル等の複雑な構造を用いなくとも、粉末又は顆粒状の収容物を常に確実に振り出すことができ、振り出し容器は、詰め替えて何度も使用することができ、また岩塩等の高級な収容物の振り出し容器としても使用可能となる。
【００１６】
請求項２に係る本発明によると、振り出し容器の使用に際して、キャップを取り外し、取り付ける度に撹拌部材により自動的に収容物を撹拌することができ、収容物が固まって振り出しできない状態を、塊りを粉砕する特別な操作をすることなく防止でき、常に正確かつ確実な収容物の振り出し作業を維持することができる。
【００１７】
請求項３に係る本発明によると、撹拌部材による収容物の撹拌作業と同時に、掻き落し部材により中蓋裏面の掻き落し動作ができ、湯気のある食品に供する等により、中蓋に食塩等の収容物が付着することがあっても、該付着した収容物は、使用に際して確実に掻き落され、小孔が目詰りすることを防止して、どのような使用状態にあっても常に確実かつ正確な振り出し作業を保持することができる。
【００１８】
請求項４に係る本発明によると、キャップに撹拌部材を固定した簡単な構造により、キャップの回転操作により収容物の撹拌を行うことができる。
【発明を実施するための最良の形態】
【００１９】
以下、図面に沿って、本発明の実施の形態について説明する。調味料、特に食塩に用いて好適な振り出し容器（食卓塩用容器）１は、図１及び図２に示すように、ガラス製の瓶からなる容器本体２と、該容器本体２の開口部２ａに着脱自在に取り付けられかつ多数の小孔３ａ…を有する中蓋３と、上記開口部を蓋するキャップ５と、を備える。容器本体２は、その開口部２ａ側の外周面に雄ねじ部２ｂが一体に形成されており、かつ円筒状の内部には食塩Ｓが収容されている。キャップ５は、硬質プラスチックからなりその内周面に雌ねじ部５ｂが一体に成形されており、上記容器本体の雄ねじ部２ｂと螺合して、締め付けた状態にあって、その底面５ｃが中蓋３の表面に密着して容器本体２を蓋する。
【００２０】
中蓋３は、プラスチックからなり、周囲に鍔部３ｃを有し、該鍔部が容器本体２の開口部周囲に形成された環状の突条２ｃに弾性力にて係合して、容器本体２の開口部分に装着される。該中蓋３には、円周上に形成された前記多数の小孔３ａの外に、中央部に貫通孔３ｅを有する肉厚のボス部３ｄが一体に成形されている。貫通孔３ｅに貫通してかつ前記ボス部３ｄに回転自在に支持されて、中蓋３に本発明に係る撹拌部材６が配置されている。
【００２１】
撹拌部材６は、下側から順に、撹拌部７、大径部９、２面取り部１０、回転支持部１１、スプライン部１２及びガイド棒部１３が形成されてなる。撹拌部７は、大径部９から分岐されて、上下方向（軸線方向に平行）に延びる４本の撹拌棒７ａ，７ｂからなり、その内の２本（７ａ）が長く、２本（７ｂ）が短く構成され、かつ各先端７ｃが尖って形成されている。大径部９の上部は２面取り部１０となって後述する掻き落し部材１５を一体に回転するように取り付けられる。回転支持部１１の更に上方には、所定長さのスプライン部１２が形成されており、該スプライン部の上部は、そのスプライン凸条が凹溝と同径となるように上方に向って縮径するテーパ面１２ａとなっており、更に該テーパ面の先端が上記縮径された径でそのまま延びて所定長さのガイド棒部１３となっている。
【００２２】
上記掻き落し部材１５は、プレート１５ａの表面の毛の短いブラシ１５ｂが多数植設されており、かつ該プレートの中央部に２面取り孔１５ｃが形成されている。そして、該掻き落し部材１５は、上記２面取り孔１５ｃに上記撹拌部材６がそのガイド棒部１３側から挿入され、上記２面取り部１０に嵌合して回転方向に一体になると共に、大径部９の段差部にプレート１５ａが当接して軸方向に位置決めされる。
【００２３】
該掻き落し部材１５を取り付けた状態で、上記撹拌部材６の上端部が、中蓋３の裏面からボス部３ｄの貫通孔３ｅに挿入され、該ボス部の上方に、前記ガイド棒部１３、スプライン部１２及び回転支持部１１の一部が突出する。そして、該回転支持部１１の突出部分に抜止め用リング１６が嵌着、接着剤、弾力摩擦、螺着又はその他の固着手段にて固着される。これにより、撹拌部材６は、該抜止め用リング１６と上記大径部９との間に、掻き落し部材１５をそのブラシ１５ｂが中蓋３の裏面に接触するように挟んで、中蓋３に軸方向を位置決めされて取り付けられ、かつその円筒状の回転支持部１１が中蓋３のボス部３ｄに回転自在に支持される。上記抜止め用リング１６は、低摩擦係数からなる金属又はプラスチックからなり、ボス部３ｄの上面に当接して撹拌部材６のスラスト方向荷重を回転自在に支持する。
【００２４】
キャップ５は、その底面５ｃの中央部分が上方に突出した突出部５ｄとなっており、該突出部５ｄの内部に、上記スプライン部１２及びガイド棒部１３と係合する孔部２０が形成されている。該孔部は、底面側から順に、前記抜止め用リング１６を受入れる環状凹部２１、上記スプライン部１２と係合する雌スプライン部２２、そして上記ガイド棒部１３を嵌挿するガイド孔部２３が形成されてなる。雌スプライン部２２は、上記スプライン部１２と対応する所定長さからなると共に、その上端部はスプライン凹溝が凸条と同径となるように縮径するテーパ面２２ａとなっており、かつその上端で所定長さのガイド孔部２３に連なっている。そして、上記キャップ５の雌スプライン部２２及びガイド孔部２３と、前記撹拌部材６のスプライン部１２及びガイド棒部１３とが互に係合して、撹拌部材６とキャップ５とを、回転方向に一体に連動しかつ軸方向に相対移動可能に連結する連結部を構成する。なお、スプライン部１２及び雌スプライン部２２は、それぞれに形成されたテーパ面１２ａ，２２ａにてガイドされるので、ガイド棒部１３及びガイド孔部２３を省いてもよい。
【００２５】
ついで、前記振り出し容器１の作動について説明する。容器本体２には食塩Ｓ等の調味料が収容され、非使用時にはキャップ５にて開口部２ａが蓋されている。この際、撹拌部材の上方突出部分１２，１３は、キャップ５の孔部２０内に受入れられ、キャップ５の底面５ｃが中蓋３に密着している。使用に際して、キャップ５をねじ２ｂ，５ｂの緩む方向に回転すると、キャップ５の雌スプライン部２２と撹拌部材６のスプライン部１２とが係合しているので、撹拌部材６も一体に回転する。これにより、撹拌部７が容器本体２内部の食塩Ｓを撹拌し、該食塩が吸湿して固まっていても、該塊りを崩す。また、撹拌部材６と一体に掻き落し部材１５が、そのブラシ１５ｂが中蓋３の裏面に接触しつつ回転し、中蓋の裏面に食塩が付着していても、該食塩を掻き落して、小孔３ａの目詰りを解消する。
【００２６】
キャップ５は、ねじ回転により容器本体２から取り外されるが、この際スプライン１２，２２が軸方向の動きを許容するので、キャップ５の取り外しに支障となることはない。そして、容器本体２を逆にして振り出し作業するが、容器本体内の食塩は、撹拌部７により崩されると共に掻き落し部材１５により目詰りは解消されているので、スムーズに排出される。
【００２７】
食塩の振り出しが終了して、キャップ５を締める際、まず撹拌部材６のガイド棒部１３がキャップの孔部２０に入り、そして該ガイド棒部１３が、テーパ面２２ａに沿ってガイド孔部２３に導かれると共に、両テーパ面１２ａ，２２ａによりスプライン部１２がスプライン孔部２２に導かれる。そして、キャップ５の雌ねじ部５ｂが容器本体２の雄ねじ部２ｂに螺合し、キャップ５をねじ込む方向に回転することにより、キャップ５は締められる。該キャップ５の回転に伴い、キャップ取り外し時と同様に、撹拌部７が食塩を撹拌すると共に、使用時に湯気が当って中蓋３裏面に付着した食塩も掻き落し部材１５により掻き落しされる。なお、ガイド棒部１３及びスプライン部のテーパ面１２ａ及び２２ａの存在により、キャップ５を容器本体２にねじ結合すると共にスプライン１２，１３を係合する作動を支障なくスムーズに行うことができる。
【００２８】
また、本振り出し容器１は、上述したように、食塩等の収容物が固まることなく、かつ中蓋３に付着することを防止して、長期に亘って使用することが可能であるため、収容物を詰め替えて何度も使用可能である。該詰め替えは、キャップ５を取り外した状態で、更に中蓋３も取り外して、袋詰め等の岩塩等の高級な食塩を容器本体２に一杯に詰め込まれて行われる。そして、撹拌部材６は、その撹拌棒７ａ，７ｂの突尖した先端７ｃにより上記詰め込まれた食塩内に容易に差込まれることにより、中蓋３が容器本体２に装着される。また、容器本体２に一杯に食塩等が詰め込まれた状態にあっても、撹拌棒７ａ，７ｂは、その内の２本７ｂが短いので、過大な回転抵抗を受けることなく回転して撹拌し得る。
【００２９】
ついで、図３に沿って、他の実施の形態について説明する。振り出し容器３０は、胡椒等の調味料Ｋを収容し得る容器本体３１と、キャップ３２とを備え、容器本体３１の開口部３１ａの外周側に形成された雄ねじ部３１ｂと、キャップ３２の内周面に形成された雌ねじ部３２ｂとが螺合して、キャップ３２は、容器本体３１の回転により取り外し自在に取り付けられる。キャップ３２の底面３２ｃには、複数個の小孔３２ａが形成されており、また該キャップの一側の支点部材３２ｄを中心に回動自在に蓋体３３が連結されている。キャップ３２と蓋体３３との間には、該キャップを図示する開放する位置とキャップの上面に密着する閉塞位置とで安定するように付勢する板バネ状の付勢部材３５が設けられている。また、蓋体３３には、上記閉塞位置にて小孔３２ａに嵌合して該小孔３２ａを密閉する多数の突起３３ａが一体に成形されている。なお、図中３２ｅは、小孔３２ａ部分を囲むように設けられた縁部である。
【００３０】
そして、上記キャップ３２の裏面中央には、円筒状の固定用ボス部３７が一体に成形されている。該ボス部３７にはねじ孔３７ａが形成されており、本発明に係る撹拌部材３９が固定される。撹拌部材３９は、コイルバネ形状からなる撹拌部４０と、端部にねじ４１ａが形成されている軸部４１とからなり、ねじ４１ａが上記ボス部のねじ孔３７ａに螺合し、かつナット４２により締め付け・緩み止めされて、キャップ３２に一体に固着される。
【００３１】
本実施の形態の振り出し容器３０は、撹拌部材３９が容器本体３１内の調味料Ｋに埋め込まれるようにして、キャップ３２が容器本体３１に装着されている。容器の不使用時にあっては、蓋体３３が閉塞位置にあって小孔３２ａが突起３３ａにより閉塞されている。そして、蓋体３３を開放位置に動かして付勢部材３５により該位置に安定した状態で、該容器３０を逆にして振り出すことにより、調味料Ｋが小孔３２ａから排出され、使用に供せられる。
【００３２】
容器本体３１内の調味料Ｋが固まって、小孔３２ａから出難くなると、使用者は、キャップ３２を回転して取り外すように緩める。該キャップの回転により撹拌部材３９も一体に回転し、そのコイルバネ状の撹拌部４０が調味料Ｋを撹拌して、上記塊りを崩す。この際、キャップ３２は、容器本体３１から取り外すまで回転してもよく、また途中で止めて逆転して締め付けてもよい。
【００３３】
キャップ３２を容器本体３１から取り外した場合、撹拌部材３９を上下動して、上記塊りを粉砕してもよい。また、キャップ３２のねじ３２ｂ，３１ｂと撹拌部４０のコイルの巻き方向及びピッチを略々同じにして、キャップ３２のねじ３２ｂ，３１ｂによる取り付け・取り外しの際、撹拌部４０が同じピッチで収容物Ｋに進退して、キャップの取り付け・取り外しをスムーズに行うようにしてもよい。
【００３４】
なお、上述した実施の形態は、撹拌部材６，３９の撹拌部７，４０を棒形状又はコイルバネ形状としたが、これに限らず、プロペラ形状等他の形状でもよい。また、キャップ５，３２は、ねじにより取り付け、取り外したが、バヨネット等の他の回転により取り付け、取り外しできるものにも同様に適用可能である。図１及び図２の実施の形態において、掻き落し部材１５を省いてもよいことは勿論である。また、食塩，胡椒等の調味料について説明したが、容器には、化粧品等の他の粉末又は顆粒状の物体を収容してもよいことは勿論である。
【図面の簡単な説明】
【００３５】
【図１】本発明の実施の形態を示す図で（ａ）は一部断面した容器本体、中蓋及び撹拌部材の正面図、（ｂ）は断面したキャップの正面図、（ｃ）は中蓋及び撹拌部材の平面図である。
【図２】上記実施の形態を示す分解して示した斜視図である。
【図３】本発明の他の実施の形態を示す一部断面した正面図である。
【符号の説明】
【００３６】
１，３０      振り出し容器
２，３１      容器本体
３            中蓋
３ａ，３２ａ  小孔
５，３２      キャップ
６，３９      撹拌部材
７，４０      撹拌部
１２，２２    連結部（スプライン部、スプライン孔部）
１３，２３    ガイド棒部、ガイド孔部
１５          掻き落し部材
Ｓ，Ｋ        収容物（食塩、胡椒、調味料）
【図１】
2008189375.tif 000003
【図２】
2008189375.tif 000004
【図３】
2008189375.tif 000005